(57)【要約】【課題】テレビジョンでの映像観賞中に、煩わしい操作を行うことなく、所望の瞬間のテレビジョン画像を携帯端末に保存することを可能とする。【解決手段】テレビジョン信号を受信可能なチューナ４，８およびモニタ５，９を備えるテレビジョン２および携帯端末３を備え、携帯端末３が、該携帯端末３のチューナ８をテレビジョン２のチューナ４に同期させるチューナ同期部と、トリガ信号を発生するキャプチャスイッチ１１と、画像情報を記憶する記憶部１２と、キャプチャスイッチ１１により発生されたトリガ信号に応じて、チューナ８により受信されている画像情報を記憶部１２に記憶させる制御部１３とを備えるテレビジョン画像キャプチャシステム１を提供する。【選択図】      図１
2008079190.tif 000002
【特許請求の範囲】
【請求項１】
テレビジョン信号を受信可能なチューナおよびモニタを備えるテレビジョンおよび携帯端末を備え、
前記携帯端末が、該携帯端末のチューナを前記テレビジョンのチューナに同期させるチューナ同期部と、トリガ信号を発生するキャプチャスイッチと、画像情報を記憶する記憶部と、前記キャプチャスイッチにより発生されたトリガ信号に応じて、チューナにより受信されている画像情報を前記記憶部に記憶させる制御部とを備えるテレビジョン画像キャプチャシステム。
【請求項２】
前記テレビジョンが、チューナの受信情報を送信する受信情報送信部を備え、
前記携帯端末が、テレビジョンから送信されてきた受信情報を受信する受信情報受信部を備え、
前記チューナ同期部が、受信された受信情報に基づいて携帯端末のチューナをテレビジョンのチューナに同期させる請求項１に記載のテレビジョン画像キャプチャシステム。
【請求項３】
前記受信情報送信部が、近距離無線通信によりチューナの受信情報を送信する請求項２に記載のテレビジョン画像キャプチャシステム。
【請求項４】
前記テレビジョンが、該テレビジョンの識別情報を近距離無線通信により送信する識別情報送信部を備え、
前記携帯端末が、テレビジョンからの識別情報を受信する識別情報受信部と、該識別情報受信部が受信した識別情報を有するテレビジョンに対しチューナの受信情報の送信を要求する受信情報要求部とを備え、
前記受信情報送信部が、前記受信情報要求部から送信されてきた要求に応じてチューナの受信情報を送信する請求項２に記載のテレビジョン画像キャプチャシステム。
【発明の詳細な説明】
【技術分野】
【０００１】
本発明は、テレビジョン画像キャプチャシステムに関するものである。
【背景技術】
【０００２】
従来、リモートコントローラからのトリガ信号に応じて、テレビジョンのチューナにより受信した映像をメモリに記憶するテレビジョンが知られている（例えば、特許文献１参照。）。
【特許文献１】特開２００２−１９９３２３号公報
【発明の開示】
【発明が解決しようとする課題】
【０００３】
しかしながら、テレビジョンのメモリに記憶した画像情報を、携帯電話機等の携帯端末に保存して持ち歩きたい場合には、ＵＳＢメモリやＣＤＲＯＭのような記憶媒体に一旦記憶したものを携帯端末に転送したり、テレビジョンと携帯端末とをケーブルで接続して画像情報を転送したりする必要があり、煩雑な操作を行わなければならないという不都合がある。
【０００４】
本発明は上述した事情に鑑みてなされたものであって、テレビジョンでの映像観賞中に、携帯端末に保存して持ち歩きたいような映像が流れた際に、煩わしい操作を行うことなく、所望の瞬間のテレビジョン画像を携帯端末に保存することを可能とするテレビジョン画像キャプチャシステムを提供することを目的としている。
【課題を解決するための手段】
【０００５】
上記目的を達成するために、本発明は以下の手段を提供する。
本発明は、テレビジョン信号を受信可能なチューナおよびモニタを備えるテレビジョンおよび携帯端末を備え、前記携帯端末が、該携帯端末のチューナを前記テレビジョンのチューナに同期させるチューナ同期部と、トリガ信号を発生するキャプチャスイッチと、画像情報を記憶する記憶部と、前記キャプチャスイッチにより発生されたトリガ信号に応じて、チューナにより受信されている画像情報を前記記憶部に記憶させる制御部とを備えるテレビジョン画像キャプチャシステムを提供する。
【０００６】
本発明によれば、テレビジョンのモニタで、チューナにより受信された映像を観賞中に、所望の映像が流れてきた場合に、携帯端末のキャプチャスイッチを押すだけで、その瞬間にテレビジョンのチューナにより受信されている画像情報が、携帯端末の記憶部に記憶される。
すなわち、チューナ同期部の作動により、携帯端末のチューナがテレビジョンのチューナに同期させられ、携帯端末のチューナにおいてもテレビジョンのチューナと同じ映像を受信する状態となる。チューナ同期部としては、周波数により同期するものと音声により同期するものとが挙げられる。
【０００７】
この状態で、携帯端末のキャプチャスイッチが押されると、トリガ信号が発生し、制御部が、トリガ信号が発生された瞬間に携帯端末のチューナにより受信されている画像情報を記憶部に記憶させる。
これにより、煩わしい操作を行うことなく、テレビジョンにおいて受信されている画像情報を携帯端末に保存して持ち歩くことができる。
【０００８】
上記発明においては、前記テレビジョンが、チューナの受信情報を送信する受信情報送信部を備え、前記携帯端末が、テレビジョンから送信されてきた受信情報を受信する受信情報受信部を備え、前記チューナ同期部が、受信された受信情報に基づいて携帯端末のチューナをテレビジョンのチューナに同期させることとしてもよい。
このようにすることで、テレビジョンが受信情報送信部の作動により外部に対して受信情報を送信しているので、携帯端末が、その受信情報を受信可能な範囲内まで近接すると、携帯端末の受信情報受信部の作動によりテレビジョンから送られてきた受信情報が受信される。受信情報が受信されると、チューナ同期部の作動により、携帯端末のチューナがテレビジョンのチューナに同期させられ、携帯端末のチューナにおいてもテレビジョンのチューナと同じ映像を受信する状態となる。
【０００９】
この状態で、携帯端末のキャプチャスイッチが押されると、トリガ信号が発生し、制御部が、トリガ信号が発生された瞬間に携帯端末のチューナにより受信されている画像情報を記憶部に記憶させるので、煩わしい操作を行うことなく、テレビジョンにおいて受信されている画像情報を携帯端末に保存して持ち歩くことができる。
【００１０】
上記発明においては、前記受信情報送信部が、近距離無線通信によりチューナの受信情報を送信することとしてもよい。近距離無線通信によれば、受信情報の送信範囲が所定の距離、例えば、１０ｍ以内に限定されるので、テレビジョンの近くに居て、テレビジョンのモニタを見ている人の携帯端末のチューナを、テレビジョンのチューナと自動的に同期させることができる。一方、テレビジョンから離れて、テレビジョンのモニタを見ている可能性の低い人の携帯端末のチューナの同期が行われないようにすることができる。
【００１１】
また、上記発明においては、前記テレビジョンが、該テレビジョンの識別情報を近距離無線通信により送信する識別情報送信部を備え、前記携帯端末が、テレビジョンからの識別情報を受信する識別情報受信部と、該識別情報受信部が受信した識別情報を有するテレビジョンに対しチューナの受信情報の送信を要求する受信情報要求部とを備え、前記受信情報送信部が、前記受信情報要求部から送信されてきた要求に応じてチューナの受信情報を送信することとしてもよい。
【００１２】
このようにすることで、携帯端末の識別情報受信部により、テレビジョンの識別情報送信部から送られてきた識別情報が受信された場合に、携帯端末がテレビジョンの近接範囲に配置されていることを認識できる。したがって、そのような認識が行われた状態で、携帯端末の受信情報要求部が作動し、テレビジョンに対しチューナの受信情報の送信が要求され、テレビジョンの受信情報送信部が、要求に応じてチューナの受信情報を返信する。これにより、携帯端末において、テレビジョンの識別情報を照合し、合致している場合にのみ、当該携帯端末のチューナをテレビジョンのチューナに同期させることができる。
【発明の効果】
【００１３】
本発明によれば、テレビジョンでの映像観賞中に、携帯端末に保存して持ち歩きたいような映像が流れた際に、煩わしい操作を行うことなく、所望の瞬間のテレビジョン画像を携帯端末に保存することができるという効果を奏する。
【発明を実施するための最良の形態】
【００１４】
本発明の一実施形態に係るテレビジョン画像キャプチャシステム１について、図１を参照して以下に説明する。
本実施形態に係るテレビジョン画像キャプチャシステム１は、図１に示されるように、テレビジョン２と携帯端末３とを備えている。携帯端末３は、例えば、携帯電話機である。
【００１５】
前記テレビジョン２は、放送されてきた映像信号を受信するチューナ４と、該チューナ４により受信された映像を表示するモニタ５と、外部との通信を行う通信装置６と、該通信装置６およびチューナ４を制御する制御装置７とを備えている。
前記チューナ４は、放送されてきた映像信号から、制御装置７から指令される受信情報、例えば、現在の受信局の情報（例えば、周波数あるいはチャネル）に一致する映像信号を抽出して受信し、モニタ５に出力するようになっている。
【００１６】
前記通信装置６は、前記チューナ４の受信情報を送信する送信部（受信情報送信部）６ａを備えている。送信部６ａは、例えば、赤外線通信あるいは無線タグ等の近距離無線通信であり、約１０ｍの交信距離を有している。
前記制御装置７は、前記チューナ４に対し、受信情報を指令するとともに、通信装置６の送信部６ａに対し、該送信部６ａから外部に対して受信情報を送信させるようになっている。
【００１７】
携帯端末３は、放送されてきた映像信号を受信するチューナ８と、該チューナ８により受信された映像を表示するモニタ９と、外部との通信を行う通信装置１０と、画像情報を保持するためのトリガ信号を発生するキャプチャスイッチ１１と、画像情報を記憶する記憶装置（記憶部）１２と、これらを制御する制御装置（制御部）１３とを備えている。
【００１８】
前記通信装置１０は、携帯端末３がテレビジョン２を中心とした半径１０ｍの範囲に入った状態で、テレビジョン２に備えられた通信装置６から送信されてきたテレビジョン２のチューナ４の受信情報を受信する受信部（受信情報受信部）１０ａを備えている。
前記制御装置１３は、通信装置１０の受信部１０ａによりテレビジョン２からの受信情報が受信された場合に、受信した受信情報を携帯端末３のチューナ８に送り、該チューナ８をテレビジョン２のチューナ４に同期させるようになっている。また、制御装置１３は、キャプチャスイッチ１１が押されることにより出力されるトリガ信号を受けて、その瞬間に携帯端末３のチューナ８が受信した画像情報を保持して記憶装置１２に記憶させるようになっている。
【００１９】
なお、前記制御装置１３がテレビジョン２のスピーカから発する音を、携帯端末３に備えられたマイクにより集音し、集音されたテレビジョン２の音を、例えば、周波数解析し、その解析結果に基づいて携帯端末３のチューナ８をテレビジョン２のチューナ４に同期させるようにしてもよい。
【００２０】
このように構成された本実施形態に係るテレビジョン画像キャプチャシステム１の作用について説明する。
本実施形態に係るテレビジョン画像キャプチャシステム１によれば、テレビジョン２を作動させてチューナ４により受信された映像情報をモニタ５に表示させている状態において、テレビジョン２の送信部６ａからチューナ４の受信情報が近距離無線通信により外部に送信される。そして、この近距離無線通信の交信範囲内に携帯端末３が入ると、携帯端末３の受信部１０ａによりテレビジョン２の送信部６ａから送信された受信情報が受信される。
【００２１】
受信部１０ａにより受信情報が受信されると、制御装置１３の作動により、携帯端末３のチューナ８に受信情報が送られ、携帯端末３のチューナ８がテレビジョン２のチューナ４と同じ受信状態となるように設定される。これにより、テレビジョン２のモニタ５に表示されている映像情報が、携帯端末３のチューナ８によっても受信されるようになる。
【００２２】
この状態で、携帯端末のキャプチャスイッチ１１が操作されると、トリガ信号が発せられるので、制御装置１３はこのトリガ信号に基づいて、その時点における映像情報を切り出した画像情報を保持し、記憶装置１２に記憶させる。
これにより、テレビジョン２のモニタ５で映像観賞をしている視聴者が、所望の映像の表示時点で携帯端末３のキャプチャスイッチ１１を押すことにより、その所望の映像を携帯端末３の記憶装置に記憶させることができる。したがって、テレビジョン２における画像情報の記憶、記憶された画像情報の記憶媒体あるいは通信を用いた転送等の煩わしい操作を伴うことなく、キャプチャスイッチ１１を押すだけで、所望の画像情報を携帯端末３に保存して持ち歩くことが可能となる。
【００２３】
なお、本実施形態に係るテレビジョン画像キャプチャシステム１においては、近距離無線通信により送信される受信情報を携帯端末３において検出することにより、テレビジョン２のチューナ４と携帯端末３のチューナ８とを同期させることとした。
これに代えて、図２に示されるように、テレビジョン２の通信装置６に要求信号を受信する受信部６ｂを備え、テレビジョン２の送信部（識別情報送信部：受信情報送信部）６ａが、近距離無線通信により識別情報（ＩＤ）を送信するとともに、携帯端末３からの要求を受信してチューナ４の受信情報を送信することとしてもよい。この場合には、携帯端末３の通信装置１０に、テレビジョン２からの識別情報を受信した場合に、テレビジョン２のチューナ４の受信情報の送信を要求する要求信号を送信する送信部（要求信号送信部）１０ｂを備えることが好ましい。
【００２４】
このようにすることで、携帯端末３の制御装置１３が、予め登録されている識別情報と、受信したテレビジョン２の識別情報とを照合し、合致している場合にのみ受信情報の送信を要求することができる。
【００２５】
また、本実施形態においては、携帯端末３として、携帯電話機を例示して説明したが、これに限定されるものではなく、ＰＤＡ、パーソナルコンピュータ等、任意の携帯端末３に適用することにしてもよい。
また、携帯端末３には、テレビジョン２の近傍においてチューナ８がテレビジョン２のチューナ４に同期してしまうことを解除する解除スイッチ（図示略）を設けることにしてもよい。
【図面の簡単な説明】
【００２６】
【図１】本発明の一実施形態に係るテレビジョン画像キャプチャシステムを示すブロック図である。
【図２】本発明のテレビジョン画像キャプチャシステムの変形例を示すブロック図である。
【符号の説明】
【００２７】
１  テレビジョン画像キャプチャシステム
２  テレビジョン
３  携帯端末
４，８  チューナ
５，９  モニタ
６ａ  送信部（受信情報送信部、識別情報送信部）
１０ａ  受信部（受信情報受信部、識別情報受信部）
１０ｂ  送信部（受信情報要求部）
１１  キャプチャスイッチ
１２  記憶装置（記憶部）
１３  制御装置（チューナ同期部、制御部）
【図１】
2008079190.tif 000003
【図２】
2008079190.tif 000004